(57)【要約】【課題】  円弧状搬送部から送られる被搬送物をガイドする構造及び後方側から給紙する構造を備えつつ、ガイド部を開閉させることを可能とした情報処理装置を提供する。【解決手段】  本発明に係る情報処理装置１は、装置ケース７内に、円弧状搬送部２３を構成する、中間ローラ３９及びガイド部３８を備え、円弧状搬送部２３から送り出されてきた用紙Ｐを挟持して搬送する紙送りローラ対２５，２６が円弧状搬送部２３から所定距離離れた位置に設けられ、装置ケース７の後方側から用紙Ｐを送り込む後方給紙部３０が設けられており、錠止棒４７，４８の施錠及び解錠を操作可能な開閉レバー４１，４２により錠止部が解錠された状態にて、後方給紙部３０よりも後方側の所定位置へガイド部３８を開閉カバー１６とともに一体的にスライド可能に支持するスライド機構８１と、所定位置にてガイド部３８を開閉カバー１６とともに一体的に回動させる回動機構とを備えている。【選択図】        図１２
2006143385.tif 000002
【特許請求の範囲】
【請求項１】
装置ケース内に、略円弧状に湾曲した円弧状搬送部を構成する、中間ローラ及び円弧状のガイド面を有するガイド部を備え、
前記円弧状搬送部から送り出されてきた被搬送物を挟持して処理位置に向かって搬送する紙送りローラ対が前記円弧状搬送部の出口端から所定距離離れた位置に設けられ、
前記装置ケースの後方側から前記処理位置に向かって被搬送物を送り込む後方給紙部が設けられている情報処理装置であって、
前記ガイド部は、前記円弧状搬送部の出口端から前記紙送りローラ対側に突出して前記紙送りローラ対に向けて送られる被搬送物をガイドする補助ガイド部材を備え、
前記ガイド部が閉じた位置で回動を規制する錠止部の施錠及び解錠を操作可能な開閉レバーと、
前記開閉レバーによる前記錠止部の解錠操作に連動して前記補助ガイド部材を前記紙送りローラ対から離れる方向に退避させる補助ガイド連動機構と、
前記開閉レバーにより前記錠止部が解錠された状態で、前記後方給紙部よりも後方側の所定位置へ前記ガイド部を前記装置ケースの外壁部とともに一体的にスライド可能に支持するスライド機構と、
前記所定位置で前記ガイド部を前記装置ケースの外壁部とともに一体的に回動させる回動機構とを備えていることを特徴とする情報処理装置。
【請求項２】
請求項１に記載の情報処理装置であって、
前記スライド機構は、前記所定位置で前記ガイド部が前記装置ケースの外壁部とともに回動されて開かれた状態で、前記ガイド部のスライドを規制するロック機構を備えていることを特徴とする情報処理装置。
【発明の詳細な説明】
【技術分野】
【０００１】
本発明は、装置ケース内に、略円弧状に湾曲した円弧状搬送部の内面を画成する中間ローラと円弧状搬送部の外面を画成するガイド部とを備え、円弧状搬送部から送り出されてきた被搬送物を挟持して処理位置に向かって搬送する紙送りローラ対が円弧状搬送部の出口端から所定距離離れた位置に設けられている情報処理装置に関するものである。
【背景技術】
【０００２】
上記情報処理装置の一例として、パソコン等に接続されるプリンタ（印刷装置）が挙げられる。
プリンタでは、外観を提供する装置ケース内に、被搬送物である用紙を貯留部から一枚ずつ繰り出して所定の搬送経路に沿って搬送する搬送機構や、搬送経路の途中に装備されて搬送されてくる用紙に文字や図形等の画像を記録する記録部や、必要に応じて記録部に所定の移動動作を付与する記録部操作機構等の各種の動作機器が組み込まれている。
【０００３】
また、プリンタには、装置のコンパクト化や省スペース化のために、用紙の給紙部や印刷処理した用紙の排出部をいずれも装置の前面側に配置定したフロント給・排紙タイプのものがある。このようなフロント給・排紙タイプのプリンタでは、通常、給紙用に用紙を収容した用紙カセットを装置前面の下部に配置し、印刷処理後の用紙を排出する排紙トレイを用紙カセットの上方に配置した構成で、用紙カセットと排紙トレイとの間を結ぶ略Ｕ字状の搬送経路が装置ケース内に構築されるとともに、略Ｕ字状の搬送経路の途中に記録部が配置される。
【０００４】
そして、装置ケース内の略Ｕ字状の搬送経路は、例えば、用紙を収容した用紙カセットを開始位置として、中間ローラと略円弧状に湾曲したガイド部とによって画成される円弧状搬送部と、円弧状搬送部の出口端から所定距離離れた位置に配置された紙送りローラ対と、紙送りローラ対の下流側に配置された記録部を経て装置前面の排紙トレイに導く排出搬送機構とにより構成される。
【０００５】
ところで、円弧状搬送部内や、円弧状搬送部から紙送りローラ対までの区間は、用紙の先端部の反り返りやスキューのために、紙ジャムが発生し易い。そこで、紙ジャムが発生した時に、これらの搬送部におけるローラ等を用紙から離間させる接触解除機構を設ける技術が提案されている（例えば、特許文献１参照）。
特許文献１に記載された接触解除機構は、詰まった紙の一端を給紙側又は排紙側から掴んで引っ張り出す際に、ローラの押圧力を解除して、詰まった用紙を引き出し易くするものである。
【０００６】
また、略Ｕ字状の搬送経路で発生した紙ジャムにより詰まった用紙を取り除くために、円弧状搬送部のガイド部をその外側のカバー部分とともに回動により開閉可能とし、円弧状搬送部を外部に露呈させる構造も知られている（例えば、特許文献２参照）。
【０００７】
【特許文献１】特開２００３−１５４６９３号公報
【特許文献２】特許第２５２９２６１号公報
【発明の開示】
【発明が解決しようとする課題】
【０００８】
ところで、前述したような略Ｕ字状の搬送経路における紙ジャムを防止するには、円弧状搬送部と紙送りローラ対との間において、紙ジャムの発生原因となる用紙の先端部の反り返りやスキューの発生を抑えることが要求される。しかしながら、円弧状搬送部と紙送りローラ対との間で用紙をガイドするために円弧状搬送部を構成するガイド部を紙送りローラ対まで延ばした場合には、紙ジャムが発生した場合に円弧状搬送部のガイド部を開こうとしたときに、ガイド部材が装置内の他の部材等と干渉してしまうため、円弧状搬送部を外部に露呈させることが困難である。
特に、円弧状搬送部の上方側に、装置後部側から用紙を送り込む後方給紙部を備えている場合には、円弧状搬送部のガイド部を露呈させることが一層困難である。
【０００９】
本発明の目的は、円弧状搬送部から紙送りローラ対に送られる用紙（被搬送物）をガイドする構造を備えつつ、ガイド部を開閉させることにより円弧状搬送部を外部に露呈させることを可能として、略Ｕ字状の搬送経路における高い搬送安定性と詰まった被搬送物の除去性を備えた情報処理装置を提供することである。
【課題を解決するための手段】
【００１０】
上記目的を達成することのできる本発明に係る情報処理装置は、装置ケース内に、略円弧状に湾曲した円弧状搬送部を構成する、中間ローラ及び円弧状のガイド面を有するガイド部を備え、前記円弧状搬送部から送り出されてきた被搬送物を挟持して処理位置に向かって搬送する紙送りローラ対が前記円弧状搬送部の出口端から所定距離離れた位置に設けられ、前記装置ケースの後方側から前記処理位置に向かって被搬送物を送り込む後方給紙部が設けられている情報処理装置であって、前記ガイド部は、前記円弧状搬送部の出口端から前記紙送りローラ対側に突出して前記紙送りローラ対に向けて送られる被搬送物をガイドする補助ガイド部材を備え、前記ガイド部が閉じた位置で回動を規制する錠止部の施錠及び解錠を操作可能な開閉レバーと、前記開閉レバーによる前記錠止部の解錠操作に連動して前記補助ガイド部材を前記紙送りローラ対から離れる方向に退避させる補助ガイド連動機構と、前記開閉レバーにより前記錠止部が解錠された状態で、前記後方給紙部よりも後方側の所定位置へ前記ガイド部を前記装置ケースの外壁部とともに一体的にスライド可能に支持するスライド機構と、前記所定位置で前記ガイド部を前記装置ケースの外壁部とともに一体的に回動させる回動機構とを備えていることを特徴としている。
【００１１】
このような構成の情報処理装置は、円弧状搬送部から紙送りローラ対に送られる被搬送物をガイドする補助ガイド部材を備えているため、円弧状搬送部と紙送りローラ対との間の搬送を安定させることができる。また、開閉レバーにより錠止部を解錠したときには、スライド機構によってガイド部を後方へスライドさせ、所定位置で回動させて、ガイド部を開いて円弧状搬送部を外部に露呈させることが可能となっている。そのため、万が一被搬送物が詰まった場合でも、補助ガイド部材を後方給紙部に干渉させるような不具合なくガイド部を開いてその被搬送物を取り出すことが可能である。
【００１２】
また、本発明に係る情報処理装置において、前記スライド機構は、前記所定位置で前記ガイド部が前記装置ケースの外壁部とともに回動されて開かれた状態で、前記ガイド部のスライドを規制するロック機構を備えていることが好ましい。
【００１３】
このような構成の情報処理装置は、ガイド部を後方の所定位置へ引き出して回動させると、スライド機構のロック機構によってガイド部のスライドが規制される。このため、ガイド部を開いた状態でガイド部が装置ケース側へスライドされて、補助ガイド部材が後方給紙部等に干渉してしまうような不具合を防止することができる。
【発明の効果】
【００１４】
本発明の情報処理装置によれば、開閉レバーにより錠止部を解錠したときには、スライド機構によってガイド部を後方へスライドさせ、所定位置にて回動させることにより、補助ガイド部材を後方給紙部に干渉させるような不具合なく、ガイド部を開いて円弧状搬送部を外部に露呈させることができ、詰まった被搬送物を容易に除去することができる。
【発明を実施するための最良の形態】
【００１５】
以下、本発明に係る情報処理装置の実施形態の一例を、図面を参照しつつ詳細に説明する。
図１〜図７は本発明に係る情報処理装置の一実施形態を示したものであり、図１は本発明に係る情報処理装置の前面側斜め上方から見た斜視図であり、図２は図１に示した情報処理装置の後面側斜め上方から見た斜視図であり、図３は図１に示した情報処理装置の休止時の用紙繰り出し機構の状態を示す側断面図であり、図４は図１に示した情報処理装置の給紙時の用紙繰り出し機構の状態を示す側断面図であり、図５は図１に示した情報処理装置の印字中の状態を示す側断面図であり、図６は図３に示した開閉カバー及びガイド部との後方から見た分解斜視図であり、図７は図３に示した開閉カバー及びガイド部の前方から見た分解斜視図である。
【００１６】
本実施形態の情報処理装置１は、リア給紙可能なフロント給・排紙タイプの業務用プリンタであり、図１に示すように、下部ケース３と上部ケース５とから構成される装置ケース７の前面中央に、被搬送物である用紙を装填した略箱形の用紙カセット９が着脱自在に装着されている。また、この情報処理装置１は、装置ケース７の後方側における上部に、後方給紙部３０を備えており、この後方給紙部３０によって後方側からの給紙が可能とされている。また、用紙カセット９の上面開放部を覆うように、印刷が終了した用紙を受ける排紙トレイ１１が装備されている。また、装置ケース７の前面の両側には、動作状態を表示する表示部１３や、操作部１４が設けられている。
【００１７】
装置ケース７内には、図３〜図５に示すように、用紙カセット９に収容されている用紙Ｐを一枚ずつ装置後方に繰り出す用紙繰り出し機構２１と、この用紙繰り出し機構２１が繰り出した用紙Ｐを円弧状の搬送経路に沿って搬送する円弧状搬送部２３と、この円弧状搬送部２３から搬送されてきた用紙Ｐを処理位置に挟持搬送する紙送りローラ対２５，２６と、この紙送りローラ対２５，２６の下流側の水平搬送部において用紙Ｐ上に文字や図形等の画像を記録する処理位置の記録部２９と、記録部２９によって印刷が済んだ用紙Ｐを装置前面の排紙トレイ１１に排出する排出搬送機構３１等が組み込まれている。なお、紙送りローラ対２５，２６は、一方が駆動ローラ２５であり、他方が補助ローラ２６である。
【００１８】
装置ケース７内の用紙カセット９、円弧状搬送部２３、紙送りローラ対２５，２６、排出搬送機構３１、及び排紙トレイ１１は、前面下部の用紙カセット９から一枚ずつ装置後部に繰り出された用紙Ｐを、円弧状の搬送経路によって装置前面側に方向転換する略Ｕ字状の搬送経路を形成している。
【００１９】
用紙繰り出し機構２１は、先端に繰り出し用のピックアップローラ３３を備えたフレーム３４の後端が支持ピン３５によって図中上下方向に回動可能に構成されている。この用紙繰り出し機構２１は、フレーム３４の上下方向の揺動により、用紙カセット９内の最上部の用紙Ｐに対してピックアップローラ３３を接触させることが可能である。用紙繰り出し機構２１は、当該情報処理装置１の休止時には図３に示すようにフレーム３４が水平に維持されて、ピックアップローラ３３が用紙カセット９上の用紙Ｐから離れた状態に保たれる。そして、情報処理装置１の給紙時には、支持ピン３５を中心とするフレーム３４の下方への回動によって、図４に示すように、ピックアップローラ３３が用紙カセット９上の用紙Ｐに押し付けられ、ピックアップローラ３３の回転によって用紙カセット９上の用紙Ｐが傾斜した分離パッド３６に当接して、その摩擦力と用紙Ｐのこしの強さによって分離されながら、一枚ずつ円弧状搬送部２３側に繰り出される。給紙が済んで、記録部２９によって印刷が開始される時には、図５に示すように、フレーム３４は元の水平状態に戻される。
【００２０】
円弧状搬送部２３は、図３〜図５に示すように、搬送経路の外側（情報処理装置１の背面側）に設けられ略円弧状に湾曲したガイド面３７を有するガイド部３８と、搬送経路の内側（情報処理装置１の前面側）に設けられガイド面３７の下方から上方に向かって用紙Ｐを送る中間ローラ３９とを備えた構成である。また、ガイド部３８には、下方側に設けられたリタードローラ２２と、上方側に設けられたアシストローラ２４を有している。そして、ピックアップローラ３３によって送り出された用紙Ｐは、中間ローラ３９とリタードローラ２２とによって挟持されて搬送され、さらに中間ローラ３９とアシストローラ２４とによって挟持されて搬送される。これにより、用紙Ｐは、円弧状の搬送経路に沿って搬送され、その先端部が前面側へ向けられてＵ字状搬送経路の直線状経路へ送り出される。
【００２１】
紙送りローラ対２５，２６は、円弧状の搬送経路の出口端（円弧状搬送部２３の下流側端部）から装置前面側に所定距離離れた位置に設けられており、図５に示すように、円弧状搬送部２３から略直線状の経路で送り出されてきた用紙Ｐを挟持して処理位置である記録部２９の下に搬送する。
【００２２】
また、この情報処理装置１は、円弧状搬送部２３の上方側に、前述の後方給紙部３０を備えている。この後方給紙部３０は、円弧状の搬送経路とは別の後部上方側から用紙Ｐを給紙し、紙送りローラ対２５，２６へ送り込むものである。
【００２３】
本実施形態の場合、図２〜図６に示すように、ガイド部３８の後方に位置する装置ケース７の後面の外壁部が、一対の開閉レバー４１，４２のスライド操作による施錠・解錠操作によって開閉可能な開閉カバー１６として形成されている。そして、この開閉カバー１６の内側にガイド部３８が一体的に取り付けられている。したがって、この開閉カバー１６を開くことで、円弧状の搬送経路を外部に露出させることができる。
【００２４】
以下、開閉カバー１６の開閉構造と、開閉カバー１６に一体的に取り付けられたガイド部３８について詳述する。
【００２５】
開閉カバー１６は、図６に示すように、湾曲した後面壁１６ａと、その両側に一体形成された略半月型の側壁１６ｂとを備えていて、側壁１６ｂの下部には、支持ピン１６ｃ及びガイドピン１６ｆが突設されている。開閉カバー１６は、両側の支持ピン１６ｃを後述のスライド機構８１の対応箇所に回転自在に嵌合させることで、該支持ピン１６ｃを回転支点として回動可能な状態でスライド機構８１に結合されている。また、開閉カバー１６には、図７に示すように装置内に向けて形成された庇状の鍔部１６ｅが一体的に設けられている。
【００２６】
開閉カバー１６に取り付けられた開閉レバー４１，４２は、図６及び図７に示すように、開閉カバー１６の裏面に装着されるスライドガイド４１ａ，４２ａと、これらのスライドガイド４１ａ，４２ａによって図６及び図７に矢印Ａ，Ｂで示す装置幅方向に直線移動（スライド）可能に保持されるレバー本体４１ｂ，４２ｂと、これらのレバー本体４１ｂ，４２ｂを互いに離間する方向に弾性付勢するばね（図示省略）とを備えている。
【００２７】
また、開閉レバー４１，４２には、開閉カバー１６に開口させたレバー操作用の開口部１６ｄ（図６参照）から突出するツマミ４５，４６と、図８に示すように側壁１６ｂの外側に突出することで、装置ケース７側の錠止孔に挿入される錠止部としての錠止棒４７，４８とが一体的に形成されている。
【００２８】
錠止棒４７，４８の先端が装置ケース７側の錠止孔に挿入された状態が施錠状態であって、この状態では開閉カバー１６を開くことができない。施錠状態では、上記ばねの弾性力により錠止棒４７，４８が施錠位置に向けて付勢されているため、開閉レバーによる解錠操作を行わない限り常に錠止棒４７，４８が施錠位置に配置される。そのため、情報処理装置１の通常使用時において確実に開閉カバー１６を閉じた位置に維持することができる。
【００２９】
そして、この施錠状態では、開閉カバー１６の開口部１６ｄに突出している一対のツマミ４５，４６は、図８に示すように、一定距離Ｌだけ離間した状態にある。この状態で、図８に示すように、ツマミ４５，４６の外側面を矢印Ａ，Ｂに示すように、互いに接近する方向に押圧すると、前記ばねの弾性力に抗して一対の錠止棒４７，４８が装置の幅方向の内側にスライド移動する。
【００３０】
図９及び図１０に示すようにして、ツマミ４５，４６が互いに接触するまで押圧されると、それに伴う錠止棒４７，４８のスライド移動によって、各錠止棒４７，４８の先端は、開閉カバー１６の幅寸法内に収まる位置まで退避した状態になる。これによって、各錠止棒４７，４８は、装置ケース７側の錠止孔から完全に離脱し、装置ケース７との錠止が解除された解錠状態になる。この解錠状態にすることで、開閉カバー１６は後方に開くことが可能になる。
【００３１】
ガイド部３８は、図７に示すように、開閉カバー１６の裏面に固定されるガイド本体３８ａと、このガイド本体３８ａ上に装置の幅方向に所定の離間間隔で立設された多数のリブ３８ｂとを備えた構成で、各リブ３８ｂの端縁に形成した湾曲面が、円弧状のガイド面３７を形成する。
【００３２】
また、ガイド部３８には、図５〜図７に示すように、ガイド面３７の出口端から紙送りローラ対２５，２６側に突出して紙送りローラ対２５，２６に向けて送られる用紙Ｐをその自重により押さえて、浮き上がりやスキューの発生を防止する補助ガイド部材５１が取り付けられている。この補助ガイド部材５１は、図７に示すように、用紙Ｐの浮き上がりを抑えるための突起５１ａを、装置の幅方向に適宜間隔で配置した略櫛歯状の構造体である。
【００３３】
本実施形態の情報処理装置１では、開閉レバー４１，４２の施錠・解錠動作に連動して補助ガイド部材５１を紙送りローラ対２５，２６に対して進行・退避させ、開閉レバー４１，４２の解錠動作時には補助ガイド部材５１を紙送りローラ対２５，２６から離れる方向に退避させる補助ガイド連動機構５３が装備されている。
【００３４】
補助ガイド連動機構５３は、第１のラック・ピニオン５５と第２のラック・ピニオン５７とから構成されている。
第１のラック・ピニオン５５は、図７に示すように、開閉レバー４１，４２の施錠時及び解錠時のスライド操作に伴ってスライド移動する第１ラック６１と、この第１ラック６１に噛合してこの第１ラック６１の移動により回転駆動される一対の第１ピニオン６３とからなり、第１ラック６１は開閉レバー４１のレバー本体４１ｂに一体形成されている。
【００３５】
第２のラック・ピニオン５７は、第１ピニオン６３と同軸に一体形成されて第１ピニオン６３と一体回転する第２ピニオン６５と、この第２ピニオン６５に噛合する歯が補助ガイド部材５１の進退方向に沿って配列されて、第２ピニオン６５の回転に伴う直線状の進退動によって補助ガイド部材５１に進退移動を付与する第２ラック６７とからなる。第２ラック６７は、歯が第１のラックの移動方向と直交する方向に並んでいて、第２ピニオン６５の回転によって、第１ラック６１の移動方向と直交する方向に直線移動する。
【００３６】
ここで、開閉レバー４１，４２のツマミ４５，４６を解錠操作して、補助ガイド連動機構５３によって補助ガイド部材５１を紙送りローラ対２５，２６から離れる方向に退避させると、図１１に示すように、補助ガイド部材５１は、鍔部１６ｅの内側（下側）に格納される。
しかしながら、このように補助ガイド部材５１を退避させ、支持ピン１６ｃからの回転半径がＲ１の位置に移動されても、その状態のまま支持ピン１６ｃを中心に回動させると、補助ガイド部材５１が上部に設置された後方給紙部３０に干渉してしまう。
【００３７】
このため、本実施形態では、ガイド部３８をスライド機構８１に支持させ、ガイド部３８を開く際に、このガイド部３８を後方へスライドさせて補助ガイド部材５１の後方給紙部３０への干渉を防止している。
次に、このスライド機構８１について説明する。
図１２は、図１に示した情報処理装置のスライド機構を説明する側面図、図１３から図１５は、それぞれ図１２に示したスライドの動きを説明する側面図である。
【００３８】
図１２に示すように、このスライド機構８１は、装置ケース７に固定されたメインフレーム８２の両側部に設けられたスライダ８３を備えている。このスライダ８３は、情報処理装置１の前後方向に沿う長孔８４が形成され、この長孔８４には、メインフレーム８２の側板８５に固定された一対のカシメピン８６が挿通されている。これにより、このスライダ８３が長孔８４に沿って情報処理装置１の前後方向へスライド可能とされている。
【００３９】
このスライダ８３は、その後端側に、支持板部８７を有しており、この支持板部８７には、開閉カバー１６の両側部に固定されたブラケット８８が支持されている。このブラケット８８が固定された開閉カバー１６は、その支持ピン１６ｃを中心としてスライダ８３の側板部８７に回動可能に連結されている。そして、この開閉カバー１６が固定されたブラケット８８を回動可能に支持するスライダ８３の支持板部８７及び支持ピン１６ｃなどから回動機構が構成されている。また、支持板部８７には、支持ピン１６ｃを中心とした円弧状のガイド孔９１が形成されており、このガイド孔９１には、開閉カバー１６に設けられたガイドピン１６ｆが挿通されている。これにより、開閉カバー１６は、支持ピン１６ｃにおける支持箇所を中心とした回動が、ガイド孔９１内でガイドピン１６ｆが移動可能な範囲に制限されている。
【００４０】
支持板部８７は、錠止棒４７，４８が挿抜される係合孔９２を有しており、錠止棒４７，４８が係合孔９２に挿通されて装置ケース７側の錠止孔へ挿入されている。そして、この係合孔９２に錠止棒４７，４８が挿入された状態で、支持ピン１６ｃを中心とした開閉カバー１６の回動が規制され、係合孔９２から錠止棒４７，４８が抜かれた状態で、回動カバー１６が回動可能となる。
【００４１】
スライダ８３には、ロックレバー９３が取り付けられている。このロックレバー９３の中間部分には、前後方向に沿う長孔からなる連結孔９４が形成されており、この連結孔９４には、スライダ８３に固定された連結ピン９５が挿通されている。これにより、ロックレバー９３は、連結孔９４の長さ寸法分だけスライダ８３に対して前後方向へ移動可能とされ、また、この連結孔９４に挿通された連結ピン９５を支点として揺動可能とされている。
【００４２】
また、連結ピン９５には、連結ピン９５を中心としてロックレバー９３を図中反時計回りへ付勢するコイルバネ９６が設けられている。さらに、ロックレバー９３は、その後端近傍に、スライダ８３に固定された引張バネ９７が連結されており、スライダ８３に対して常に後方側へ付勢されている。
【００４３】
このロックレバー９３は、その先端部に、下方へ突出するロック部１０１を有している。また、ロックレバー９３は、ロック部１０１の後方側が、回動規制部１０２として形成されており、この回動規制部１０２が、スライダ８３の下縁部を側方へ折り曲げることにより形成されたストッパー部１０３に係合され、コイルバネ９６の付勢力によるロックレバー９３の回動が規制されている。
また、メインフレーム８２には、その下端部に、側方へ突出されたロック片１０４が形成されている。また、ロックレバー９３は、その後端側に、係合溝部１０５が形成されており、この係合溝部１０５には、開閉カバー１６のガイドピン１６ｆが係脱可能とされている。
【００４４】
次に、搬送経路で生じた紙ジャムにより詰まった用紙を取り除くために、ガイド部３８を開く場合について説明する。
まず、ツマミ４５，４６を互いに接触するまで押圧して錠止棒４７，４８を引き込ませ、装置ケース７側の錠止孔から完全に抜き出させて装置ケース７に対する開閉カバー１６の錠止を解除する。
【００４５】
この状態で、開閉カバー１６を後方へ引き出す。この引き出す途中の過程において、図１３に示すように、開閉カバー１６とともにスライダ８３が後方へスライドされる。そして、前方側のカシメピン８６がロックレバー９３の回動規制部１０２に当接され、ロックレバー９３の後方への移動が規制される。なお、この時点では、係合溝部１０５にガイドピン１６ｆが係合されていることより、開閉カバー１６の回動が規制されている。また、ロックレバー９３のロック部１０１が、メインフレーム８２のロック片１０４よりも後方側に配置される。
【００４６】
次に、開閉カバー１６をさらに後方へ引き出す。このようにすると、図１４に示すように、カシメピン８６によって後方への移動が規制されたロックレバー９３に対してスライダ８３が引張バネ９７の付勢力に抗して、連結孔９４の長さ寸法分だけ後方へ移動される。これにより、係合溝部１０５からガイドピン１６ｆが抜き出されて開閉カバー１６の回動の規制が解除されるとともに、ロックレバー９３の回動規制部１０２の下方側からストッパー部１０３が外される。そして、この時点で、引き込まれた補助ガイド部材５１の支持ピン１６ｃからの回転半径Ｒ１の範囲から後方給紙部３０が外れる。
【００４７】
そして、この状態で、図１５に示すように、支持ピン１６ｃを中心に開閉カバー１６を後方へ回動させることにより、補助ガイド部材５１を後方給紙部３０に干渉させることなく、ガイド部３８が開かれる。
また、開閉カバー１６が回動されることにより、ガイドピン１６ｆが上方へ移動すると、ロックレバー９３がコイルバネ９６の付勢力により連結ピン９５を中心に回動され、ロック部１０１がメインフレーム８２のロック片１０４の後方側へ入り込んで係合し、スライダ８３の前方側への移動が規制される。つまり、開閉カバー１６を開いた状態での開閉カバー１６の前方側への移動が規制される。
【００４８】
紙ジャムの解消後に、ガイド部３８を戻す場合は、まず、開閉カバー１６を前方側へ回動させる。このようにすると、ガイドピン１６ｆによってロックレバー９３の後端が下方へ押下され、このロックレバー９３が、コイルバネ９５の付勢力に抗して時計回りへ回動される（図１４参照）。
【００４９】
これにより、ロックレバー９３のロック部１０１がロック片１０４の上方へ移動することにより、これらロック部１０１とロック片１０４との係合状態が解除され、スライダ８３の前方への移動規制が解除される。また、ロックレバー９３の回動規制部１０２がスライダ８３のストッパー部１０３の上方側へ配置されることにより、引張バネ９７の付勢力によりロックレバー９３に対してスライダ８３が前方側へ移動される。これにより、ガイドピン１６ｆが係合溝部１０５内へ入り込み、開閉カバー１６の回動が禁止される（図１３参照）。
そして、この状態で、開閉カバー１６を前方へ押し込むことにより、ガイド部３８が戻され、円弧状の搬送経路が形成される（図１２参照）。
【００５０】
また、補助ガイド連動機構５３は、錠止棒４７，４８が解錠位置から施錠位置へ移動することに伴って補助ガイド部材５１を紙送りローラ対２５，２６へ向かって進行移動させる。すなわち、開閉カバー１６が閉じられた時に錠止棒４７，４８が施錠位置へ移動する動きと連動して補助ガイド部材５１が円弧状搬送部２３の出口端から紙送りローラ対２５，２６側に突出した位置に自動的に配置される。そのため、開閉カバー１６が閉じた位置にあり情報処理装置１を稼動させて用紙Ｐを搬送する際には、円弧状搬送部２３から紙送りローラ対２５，２６に送られる用紙Ｐを補助ガイド部材５１によって必ずガイドすることができる。
【００５１】
以上説明した情報処理装置１では、円弧状搬送部２３から紙送りローラ対２５，２６に送る用紙Ｐの浮き上がりやスキューの発生を防止する補助ガイド部材５１が装備されているため、円弧状搬送部２３と紙送りローラ対２５，２６との間の搬送を安定化、高精度化することができる。そして、補助ガイド部材５１は、装置ケース７の開閉カバー１６の内面に取り付けられるガイド部３８に取り付けられる構成のため、装置ケース７側に補助ガイド部材５１を支持する専用の機構等を組み付ける必要がなく、補助ガイド部材５１の装備が装置ケース７側への組み付け部品の増加による組み立て工程の煩雑化を招くこともない。
【００５２】
また、紙ジャム等によって円弧状搬送部２３内又はその周辺で紙詰まりが発生した場合には、開閉レバー４１，４２を解錠操作して、開閉カバー１６とともにガイド部３８を開くことで紙詰まり部位を露出させるが、開閉レバー４１，４２を解錠操作した時には、開閉レバー４１，４２の動作に連動して補助ガイド部材５１がガイド部３８内に退避して、図１１に示したように、ガイド部３８から紙送りローラ対２５，２６側への補助ガイド部材５１の突出量が小さくなっている。さらに、補助ガイド部材５１が鍔部１６ｅに格納され、他の部材との接触から保護されている。
【００５３】
しかも、開閉カバー１６と一体のガイド部３８の開閉操作に際して、スライド機構８１によって開閉カバー１６を後方へ引き出した状態にて回動可能とされるので、補助ガイド部材５１が周囲の支持機構７０等だけでなく、後方給紙部３０に干渉することを回避することができ、補助ガイド部材５１の干渉を回避するために装置ケース７内の他の機構等のレイアウトが圧迫されることがなく、ガイド部３８の開閉構造を無理なく装備することが可能になる。
【００５４】
そして、開閉カバー１６を開くことで紙詰まり部位を露出できるため、紙ジャム等による紙詰まりが発生した場合でも、詰まっている紙に直接的にアクセスできて、用紙Ｐを除去し、紙詰まりを速やかに解消することができる。
【００５５】
また、上記実施形態の上方処理装置１では、紙ジャム等による紙詰まりを解消するために、開閉カバー１６を後方へ引き出して回動させると、スライド機構８１のロックレバー９３等からなるロック機構によって開閉カバー１６のスライドが規制される。このため、開閉カバー１６を開いた状態で開閉カバー１６が装置ケース７側へスライドされて、補助ガイド部材５１が後方給紙部３０等に干渉してしまうような不具合を防止することができる。
【００５６】
また、上記情報処理装置１では、第１ピニオン６３と第２ピニオン６５との歯数比を変更することで、第２ラック６７の直線移動量を任意に調整することが可能で、施錠・解錠に必要となる開閉レバー４１，４２の移動量に規制されずに、補助ガイド部材５１の直線移動量を自由に設定することができ、必要十分な突出長の補助ガイド部材５１を円滑に進退移動させることが可能になる。
また、第１ラック６１を開閉レバー４１に一体形成しているため、例えば、第２ラック６７を補助ガイド部材５１に一体形成した構成とすれば、補助ガイド部材５１を進退移動させる補助ガイド連動機構５３としての独立した部品を削減することができ、組み立てする部品点数の削減により、組み立て工程を単純化することもできる。
【００５７】
なお、本発明に係る情報処理装置は、上記の実施形態として説明したプリンタに限らない。例えば、コピー機、ファックス、紙幣両替機、発券機など、上記実施形態と同様な略Ｕ字状の搬送経路、又は上記の円弧状搬送部が複数装備される複雑な搬送経路が被搬送物の搬送路として装置ケース内に装備される各種機器に応用することができる。
【図面の簡単な説明】
【００５８】
【図１】本発明に係る情報処理装置の一実施の形態の前面側斜め上方から見た斜視図である。
【図２】本発明に係る情報処理装置の一実施の形態の後面側斜め上方から見た斜視図である。
【図３】図１に示した情報処理装置の休止時の用紙繰り出し機構の状態を示す側断面図である。
【図４】図１に示した情報処理装置の給紙時の用紙繰り出し機構の状態を示す側断面図である。
【図５】図１に示した情報処理装置の印字中の状態を示す側断面図である。
【図６】図３に示した開閉カバー及びガイド部との後方から見た分解斜視図である。
【図７】図３に示した開閉カバー及びガイド部の前方から見た分解斜視図である。
【図８】図３に示したガイド部の開閉レバーが施錠状態にある時の正面図である。
【図９】図２に示した情報処理装置の開閉レバーを解錠状態にしたときの開閉カバーの後方からの斜視図である。
【図１０】図３に示したガイド部の開閉レバーが解錠状態にある時の正面図である。
【図１１】図１に示した情報処理装置の開閉レバーを解錠状態にしたときの補助ガイド部材の退避状態を示す側断面図である。
【図１２】図１に示した情報処理装置のスライド機構を説明する側面図である。
【図１３】図１２に示したスライドの動きを説明する側面図である。
【図１４】図１２に示したスライドの動きを説明する側面図である。
【図１５】図１２に示したスライドの動きを説明する側面図である。
【符号の説明】
【００５９】
１：情報処理装置、７：装置ケース、１６：開閉カバー、１６ｃ：支持ピン、１６ｆ：ガイドピン、２１：用紙繰り出し機構、２３：円弧状搬送部、２５，２６：紙送りローラ対、２９：記録部、３０：後方給紙部、３７：ガイド面、３８：ガイド部、３９：中間ローラ、４１，４２：開閉レバー、４７，４８：錠止棒、５１：補助ガイド部材、５３：補助ガイド、８１：スライド機構、８３：スライダ、９３：ロックレバー、１０１：ロック部、１０４：ロック片、１０５：係合溝部
【図１】
2006143385.tif 000003
【図２】
2006143385.tif 000004
【図３】
2006143385.tif 000005
【図４】
2006143385.tif 000006
【図５】
2006143385.tif 000007
【図６】
2006143385.tif 000008
【図７】
2006143385.tif 000009
【図８】
2006143385.tif 000010
【図９】
2006143385.tif 000011
【図１０】
2006143385.tif 000012
【図１１】
2006143385.tif 000013
【図１２】
2006143385.tif 000014
【図１３】
2006143385.tif 000015
【図１４】
2006143385.tif 000016
【図１５】
2006143385.tif 000017